(57)【要約】本発明は、処理されるべき表面の上に噴霧されるべき粉体（Ｐ）を含むことを意図された第１貯留部、使用された粉体を集めることを意図された第２貯留部、処理されるべき表面に対して適用されるように設計されたハンドピースを含むマイクロ剥離装置に関する。この装置は、該装置の上にはめ込まれることができ、ハンドピースと独立して取り外されることができ、第１貯留部及び第２貯留部を含む、取り外し可能なカートリッジを含む。
2006503627.tif 000002
【特許請求の範囲】
【請求項１】
処理されるべき表面の上に噴霧されるべき粉体（Ｐ）を含むことを意図された第１貯留部（１０）、
使用された粉体を集めることを意図された第２貯留部（１１）、
処理されるべき表面に対して適用されるように設計されたハンドピース（３）
を含むマイクロ剥離装置（１）において、該装置の上に、はめ込まれることができ、ハンドピース（３）と独立して取り外されることができ、かつ第１貯留部（１０）及び第２貯留部（１１）を含む、取り外し可能なカートリッジ（５）を含むことを特徴とするマイクロ剥離装置。
【請求項２】
第１貯留部（１０）及び第２貯留部（１１）が、カートリッジ（５）内で、取り外し可能ではなく互いに接続されていることを特徴とする、請求項１に記載の装置。
【請求項３】
第１貯留部（１０）及び第２貯留部（１１）が、カートリッジ（５）の本体（４０）内に２つの区画を形成することを特徴とする、請求項１〜２のいずれか１項に記載の装置。
【請求項４】
第１貯留部（１０）及び第２貯留部（１１）が、カートリッジ（５）内で隣接していることを特徴とする、請求項１〜３のいずれか１項に記載の装置。
【請求項５】
第１貯留部及び第２貯留部が、共通の壁（４１）を有することを特徴とする、請求項１〜４に記載の装置。
【請求項６】
第１貯留部（１０）が、下方へ狭まる貯留部の縦軸に対して横向きの断面を有することを特徴とする、請求項１〜５のいずれか１項に記載の装置。
【請求項７】
第１貯留部（１０）が、上端（２１）において開いている取出しチューブ（２０）を含むことを特徴とする、請求項１〜６のいずれか１項に記載の装置。
【請求項８】
取出しチューブが、粉体（Ｐ）がチューブに入ることを可能とする横向きの通気孔（２２）を含むことを特徴とする、請求項７に記載の装置。
【請求項９】
取出しチューブが、カートリッジから分離されることができ、かつ粉体がチューブに入ることを可能とする横向きの通気孔（２２）を含む下方の部分（１４０）を含むことを特徴とする、請求項７に記載の装置。
【請求項１０】
第１貯留部（１０）が、貯留部の側壁（４３ｂ）の上に配置された空気取入れ口（２４）を含むことを特徴とする、請求項１〜９のいずれか１項に記載の装置。
【請求項１１】
カートリッジ（５）が、その中に含まれている粉体（Ｐ）を取り出すための取出しパイプ（１２）に第１貯留部を接続するための接続末端部（２０ａ）を遮断するための遮断手段（５４）を含むことを特徴とする、請求項１〜１０のいずれか１項に記載の装置。
【請求項１２】
カートリッジ（５）を受け入れるように配置されたベースステーション（２）を含むことを特徴とする、請求項１〜１１のいずれか１項に記載の装置。
【請求項１３】
ベースステーション（２）が、カートリッジ（５）が所定の位置以外のいずれかの位置に挿入されることを防ぐ、偏向手段を付与されていることを特徴とする、請求項１〜１２のいずれか１項に記載の装置。
【請求項１４】
ハンドピース（３）がカートリッジ（５）を受け入れるように設計されていることを特徴とする、請求項１〜９のいずれか１項に記載の装置。
【請求項１５】
カートリッジ（５）がプラスチックを成形することにより製造された本体（４０）、及び該本体につけられた閉じ蓋（４９）を含むことを特徴とする、請求項１〜１４のいずれか１項に記載の装置。
【請求項１６】
カートリッジ（５）が、取出しチューブをベースステーションに接続する継ぎ手スリーブを含み、このスリーブは滑ることができ、スリーブがカートリッジの開口部を閉めて、粉体が流れ出ることを防ぐ第１の位置、及びスリーブがベースステーションと共同して働く第２の位置の間を移動することができることを特徴とする、請求項１に記載の装置。
【請求項１７】
カートリッジ（５）が、取出しチューブをベースステーションに接続するための継ぎ手スリーブを含み、このスリーブが、開口部に据えられ、かつ係合されて、カートリッジを装置に接続させるように働くことを特徴とする、請求項１に記載の装置。
【請求項１８】
カートリッジが、スリーブ（１７１）を第１の位置に戻すための弾性リターン部材を含むことを特徴とする、請求項１６に記載の装置。
【請求項１９】
第１貯留部が、２つの部分、即ちプラスチックを成形することにより貯留部の１つの壁と一緒に単一の部品として製造された第１部、及び第１部に付けられた、粉体がチューブに入ることを許す通気孔（２２）を含む第２部（１７１）から作られた取出しチューブを含むことを特徴とする、請求項１〜１８のいずれか１項に記載の装置。
【請求項２０】
２つの部分の少なくとも１つ（１７１）がスロット（１９２）と共に作られ、他方の部分（１７０）と共同して、該２つの部分の相対的位置を調節する可能性を提供する、請求項１〜１９のいずれか１項に記載の装置。
【請求項２１】
カートリッジが装置上で所定の位置にあるとき、カートリッジ及びの装置の間に挿入されるように設計されている、弾性体で作られたシーリング部品（１８５）、特にベースステーションのハウジングに置かれたシーリング部品、又は特にオーバーモールドされた、又は浸漬又は噴霧により堆積された、カートリッジに固定されたシーリング部品を含むことを特徴とする、請求項１〜２０のいずれか１項に記載の装置。
【請求項２２】
シーリング部品（１８５）が、シールされた接続を可能とすることを意図された少なくとも１つのリップ又はグルーブ（１８７）を含み、このシーリングリリーフが、密封された様式で、カートリッジの末端部を押し付けることを特徴とする、請求項１〜２１のいずれか１項に記載の装置。
【請求項２３】
処理されるべき表面の上に噴霧されるべき粉体（Ｐ）を含む第１貯留部（１０）及び使用された粉体（Ｕ）を受けることを意図された第２貯留部（１１）を含む、請求項１〜２２のいずれか１項において定義された装置において使用されることのできるカートリッジ（５）。
【請求項２４】
粉体（Ｐ）が穀物粉末に基づくことを特徴とする、請求項２３に記載のカートリッジ。
【発明の詳細な説明】
【技術分野】
【０００１】
本発明は、空気流によって皮膚の上に運ばれる研磨粒子を噴霧することにより作動するマイクロ剥離装置に関する。
【０００２】
これらの装置は、皮膚の欠点を軽減し、及び／又は剥離処理を行うために美容院において広く使用されている。
【背景技術】
【０００３】
一方は未使用の粉体を含み、他方は、処理されるべき支持体の上に粉体が噴霧された後、該粉体を受容することを意図されている２つの貯留部を含むマイクロ剥離装置は公知である。これらの２つの貯留部は独立した容器からなり、各容器は容易に取り外されることができる蓋がついており、使用された粉体が除去され、装置は新しい粉体を供給されることを可能にする。
【０００４】
特に、新しい粉体を導入し、使用された粉体を除去することをより容易にするニーズがある。
【０００５】
また、マイクロ剥離装置のコストプライスを下げて、該装置が一般大衆に提供されることを可能にするニーズもある。
【０００６】
使用された粉体の再使用を防止するニーズもまたある、なぜならこれは衛生上の理由から望ましくないからである。
【発明の開示】
【発明が解決しようとする課題】
【０００７】
本発明の特徴の１つにおいて、本発明は、とりわけ、上述されたニーズのすべて又はいくつかを満足させることを目的とする。
【課題を解決するための手段】
【０００８】
本発明は、
処理されるべき表面の上に噴霧されるべき粉体を含むことを意図された第１貯留部、
使用された粉体を集めることを意図された第２貯留部、
処理されるべき表面に対して適用されるように設計されたハンドピース
を含むマイクロ剥離装置によりこれを達成し、この装置は、該装置の上にはめ込まれることができ、ハンドピースと独立してそこから取り外されることができ、かつ第１及び第２の貯留部を含む取り外し可能なカートリッジを含むことを特徴とすることができる。
【発明を実施するための最良の形態】
【０００９】
即ち、使用されたカートリッジは、新しい処理が行われる前に容易に新しいカートリッジに取り替えられることができる。
【００１０】
第１及び第２の貯留部は、カートリッジ内で、取り外し可能ではなく互いに接続され得る。特に第１及び第２貯留部は、カートリッジの本体内に２つの区画を形成し得る。
【００１１】
第１及び第２貯留部はカートリッジ内において隣接し得、又は違ったやり方で配置され得る。
【００１２】
第１及び第２貯留部は共通の壁を有し得、そのことはカートリッジの製造を単純化することを可能にし得る。
【００１３】
第１の貯留部は、下方へ狭まる、貯留部の縦軸に対して横向きの断面を有し得、そのことは貯留部が空であると考えられるときに貯留部に残された粉体の量を減らすことを可能にし得る。
【００１４】
第１の貯留部は取出しチューブを含み得、該チューブはその上端が開いており、粉体がチューブに入るのを可能にする横方向の通気孔を含み得る。
【００１５】
取出しチューブは、結合された貯留部に完全に固定され得る。チューブは例えば、実際上、貯留部全体の高さに渡って伸びてもよく、開いている端が貯留部の頂部の壁から短い距離に据えられることが可能である。
【００１６】
装置は、貯留部に固定された上部、及び貯留部から外されることができ、取出し通気孔を含む下方部を有する取出しチューブをもまた含み得る。この下方部は、例えば、末端部が所定の位置にあるとき、貯留部に入るように設計されたベースステーションの末端部からなっていてもよい。
【００１７】
カートリッジは、取出しチューブをベースステーションに接続する継ぎ手スリーブを含み得、このスリーブは滑ることができ、スリーブはカートリッジの開口部を閉めて、粉体が流れ出ることを防ぐ第１の位置、及び例えばベースステーションの末端部とぴったりはまることにより共同して働くように設計されているベースステーションと共同して働く第２の位置の間を移動することができる。カートリッジは、該スリーブを第１の位置に戻すための弾性のあるリターン部材を必要に応じて含み得る。
【００１８】
カートリッジは、取出しチューブをベースステーションに接続するための継ぎ手スリーブを含み得、このスリーブが、カートリッジの本体に固定された取出しチューブの一部に固定され、取出しチューブとカートリッジの底に据えられたカートリッジの接続開口部との間を接続することが可能である。
【００１９】
第１貯留部は２つの部分、即ち貯留部の１つの壁と一緒にプラスチックを成形することにより単一の部品として製造された第１部、及び可動又は別な方式で第１部についており、粉体がチューブに入ることを許す通気孔を含む第２部からなる取出しチューブを含み得る。
【００２０】
必要に応じて、該２つの部分の少なくとも１つは、スロットつきで製造され得、他の部分と共同して働いて、２つの部分の相対的な位置を調節する可能性を提供するようにもよい。これは、該２つの部分の１つが多かれ少なかれスロットを隠し、従って粉体が取出しチューブに入ることを許す通気孔の断面積を変化させることを可能にする。
【００２１】
カートリッジは、２つの末端部を付与された蓋を有し得、第１貯留部と結合されたものは、後者を補充するために使用される。
【００２２】
カートリッジは、そこに含まれる粉体を取り出すための取出しパイプに第１貯留部を接続するための接続末端部を遮断するための遮断手段を含み得る
【００２３】
装置は、カートリッジを受け入れるために配置されたベースステーションを含み得る。このベースステーションは、カートリッジが所定の位置以外の任意の位置に挿入されることを防ぐ、偏向手段（polarizing means）を付与され得る
【００２４】
代わりとして、ハンドピースはカートリッジを受け入れるように設計され得る。
【００２５】
カートリッジは、例えば第１及び第２の貯留部の中で伸びるチューブにそれぞれ通じるメス型の末端部を含み得、これらのメス型末端部は、カートリッジが装置の上の適正な場所にあるとき、多かれ少なかれシールされた様式で装置に属する対応するオス型の末端部の上にはまるように配置されている。
【００２６】
装置、特にデバイス又はカートリッジ、又は両者は、弾性体から作られたシールする部品を含み得る。例えばベースステーション上で、カートリッジが使用の位置にあるとき、そのような部品はカートリッジと装置のその他との間に少なくとも部分的に挿入されることができる。
【００２７】
この部品は例えばシリコーンポリマーで製造され得る。それはカートリッジを特にベースステーションに接続させるように働く末端部の通過を許す開口部を有し得る。それは、シールされた接続を許すことを意図された少なくとも１つのリップ(lip)又は管状の溝を含み得、このシールするリリーフは、例えばシールされた様式でカートリッジに属する末端部を押し付けることができる。
【００２８】
この成分の磨耗の度合いに関わらず、シール機能を保証するために、後者は新しい成分により交換され、取り替えられることができるような様式で配置され得る。より人間工学的な交換作業を可能とするために、この成分は、ユーザの手が該成分上でよりよい掴みを得ることを可能にするタブ、又は突起、又はくぼみを装備され得る。
【００２９】
後者は、カートリッジ又はベースステーションの質量内で、例えば２個取射出成形法（two-shot injection  moulding  method）を用いて製造されてもよい。
【００３０】
カートリッジは、プラスチックを成形することにより製造された本体及び該本体に付着された、閉じる蓋を含み得る。
【００３１】
本発明のもう１つの特徴において、本発明のもう１つの課題は上で定義された装置において使用されることができるカートリッジであり、該カートリッジは処理されるべき表面の上に噴霧されるべき粉体を含む第１貯留部及び使用された粉体を受け入れることを意図された第２貯留部を含む。
【００３２】
本発明のさらなる課題は、前述の内容から独立して、マイクロ剥離装置のためのカートリッジであり、該カートリッジは皮膚の上に噴霧されるべき粉体を含む貯留部を含み、この貯留部は下方へ狭まる、貯留部の縦軸に対して横方向の断面を有する。
【００３３】
本発明の更なる課題は、前述の内容から独立して、処理されるべき表面上に噴霧されるべき粉体を受け止めることを意図された貯留部、この貯留部内の取出しチューブ(この取出しチューブは粉体を取り出すための少なくとも１の通気孔を付与されている)を含むマイクロ剥離装置であり、この装置は、本発明の特徴に従って、貯留部が側壁上に空気取入れ口を含み、該空気取入れ口は、貯留部に空気が入り、そうすることによって取出し通気孔の粉体による詰まりを阻む傾向があるような様式で配置されていることを特徴とすることができる。
【００３４】
本発明の更なる課題は、前述の内容から独立して、処理されるべき表面上に噴霧されるべき粉体を受け止めることを意図された貯留部、この貯留部内の取出しチューブ（この取出しチューブは粉体を取り出すための少なくとも１の通気孔を付与されている）を含むマイクロ剥離装置であり、この装置は、本発明の特徴に従って、底の壁、傾斜した壁、及び特に傾斜した壁及び／又は底の壁の上に空気の取り入れ口を含み、該空気取入れ口は、空気が貯留部に入り、そうすることによって取出し通気孔の粉体による詰まりを阻む傾向があるような様式で配置されたことを特徴とすることができる。
【００３５】
空気取入れは、粉体が取出し通気孔の端の近くの空気により攪拌されることを可能にし、これは詰まりの危険を減らす。
【００３６】
そのことは、信頼性を改善し、装置のコストを下げ、未経験の人々が使用することをより容易にすることを可能とする。
【００３７】
本発明の１つの例示的な実施態様において、取出し通気孔のそば、特に後者よりかなり下のレベルにおいて空気の取入れが引き起こされる。取出し通気孔は貯留部へと横向きに開き得、例えば取出しチューブにおける、放射状に導かれた穿孔からなる。
【００３８】
本発明の１つの例示的な実施態様において、空気の取り入れ口は貯留部の側壁に作られた少なくとも１の通気孔を含み、その断面積は粉体が該通気孔を通って出て行くのを防ぐのに十分小さい。代わりの物として又はその上、該空気取入れ口は、空気は通るが貯留部に含まれる粉体が出て行くのを防ぐフィルターを含み得る。
【００３９】
空気取入れ口は、例えば貯留部の側壁に作られた複数の通気孔の形で作られ得る。
【００４０】
側壁はプラスチックで製造され得る。
【００４１】
上述されたように、貯留部は、下方へ狭まる、貯留部の縦軸に対して横向きの内部断面で作られ得る。断面積のこの減少は空気取入れ口及び取出し通気孔の間の距離を縮めることにより詰まりの危険性を減らすことを可能にし得る。
【００４２】
貯留部の下の方の部分は、例えば、内部表面が、底に向かって収束する二次曲線の一部、特に円錐、楕円面、又は方物面の一部である壁で少なくとも部分的に作られ得る。あるいは、貯留部の下方部分は少なくとも部分的に、底へ向かって収束する多面体の内部表面により規定され得る。
【００４３】
貯留部の下方部分は、貯留部の縦軸に関して、少なくとも１つの点における傾斜が２０°〜４５°の間である内部表面を有し得る。
【００４４】
空気取入れ通気孔及び取出し通気孔を通り抜ける直線は、取出しチューブの縦軸と角度を成し得、それは３５°〜６０°、例えば約４８°〜およそ５１°である。そのような角度は管、特にハンドピースの管を通しての粉体の良好な流れを助長し、粉体／空気の二相混合物の発生を促進し、カートリッジ内のたくさんの粉体の流れを改善する。
【００４５】
空気取入れ口は、一定の又は可変の断面積の、１又は複数の通気孔を含み得る。可変の断面積、特に外に向かって広くなるものは、例えば円錐台は通気孔が成形により形成されることをより容易し得る。
【００４６】
本発明のもう１つの目的は、前述の内容から独立して、マイクロ剥離デバイスのためのカートリッジであり、このカートリッジは皮膚の上に噴霧されるべき粉体を含む第１貯留部、及び使用された粉体を受け止める第２の貯留部を含み、第１貯留部は粉体を取り出すための少なくとも１の通気孔を付与されているか、又は取出し通気孔を含む末端部を受け止めるように設計されているかのいずれかであり、第１貯留部は、貯留部に入いる空気が、それによって取出し通気孔の詰まりを阻む傾向があるように配置された空気取入れ口を含む。
【００４７】
本発明のもう１つの目的は、前述の内容から独立して、ハンドピースを含むマイクロ剥離デバイスであり、該ハンドピースは、持つための部分、及び末端部を含み、該末端部は、少なくとも１の縦方向の末端に、処理されるべき表面に対して適用される開口部、例えばおよそ円形の開口部を含み、該開口部はチャンバーに通じ、該チャンバーへ処理されるべき表面に噴霧される粒子を運ぶ少なくとも１のダクト、及び使用された粉体を戻す少なくとも１のダクトが通じ、該末端部は外行き及び戻りのダクトを分離する仕切りとともに作られている。
【００４８】
開口部は、仕切りの端に隣接する中心からいくらかの距離に設置された板を有し得、該距離は２．７５ｍｍ以下、特に約２．５ｍｍである。
【００４９】
仕切りは、特にプラスチックを成形することにより、末端部と共に単一の部品として作られ得る。
【００５０】
外行きのダクトは、開口部の中心に向かって収束し得る。
【００５１】
処理されるべき表面に適用されるハンドピースの開口部の軸は、持つための部分の縦軸とゼロではない角度をなしてもよく、この角度は好ましくは１００〜１５０°である。
【００５２】
粒子の外行き及びリターンダクトは、処理される皮膚に適用される開口部の後方に設置されたチャンバーへ通じ得る。このチャンバーは、例えば概ね円筒状の形状、特に回転柱面(cylinder of revolution)である形状を有し得る。
【００５３】
ハンドピースの末端部は、弾性体を成形することにより製造され得る
【００５４】
ハンドピースは、粉体供給パイプ及びリターンパイプ、及びエンドピースが接続されているコネクターを含み得る。
【００５５】
ハンドピースは、２つの容器（shell）を含み得、該容器は組み立てられるとき、持つための部分を形成する。
【００５６】
各容器は、ハーフネックと共に製造され得、容器の組み立ては、末端部の土台、又は上述されたコネクターの土台として働くネックを形成する。
【００５７】
各容器は、内部の強化リブと共に製造され得る。
【００５８】
容器は、組み立てられたとき、供給及びリターンパイプを掴むように配置され得る。
【００５９】
ハンドピースは、少なくとも１のポンプを含む、ベースステーションに接続され得る。
【００６０】
ハンドピースは、代わりとして、少なくとも１のポンプを取入れてもよい。
【００６１】
ハンドピースは、カートリッジを収容するハウジングと共に製造され得る。
【００６２】
ベースステーションは、ハウジングがカートリッジを収容するように製造されているところの、中央のボスとともに製造され得る。
【００６３】
このボスは、ハンドピースを収めることを意図されたくぼみと共に製造され得る。
【００６４】
カートリッジを収容するハウジングは、ハンドピースを収めることを意図された窪みの下方にあってもよく、その結果このハウジングはマニピュレーターにより覆われ、即ち装置が使用中でないとき、汚れから保護される。
【００６５】
ベースステーションは、環状のハウジングを中央ボスの周りに含み得、ハンドピースをベースステーションに接続するホースがボスの周りに巻きつけられることを可能にする。
【００６６】
このハウジングは、ベースステーションのベースに固定されたボールにより形成され得る。該ボールは、装置が使用中でないとき、その上の所定の位置にあるボス及びハンドピースが、覆われることを可能にする蝶番で動く蓋を含み得る。
【００６７】
蓋は、もしカートリッジがベースステーション上の所定の位置にあるならば、閉じられることができないように配置され得る。
【００６８】
ベースは、特にポンプ及びフィルターを付けるためのハウジングを含む底板を含み得る。
【００６９】
ベースは、２つの横向きの開口部を有し得、永久貯蔵のために付与された窪みにそれを置きなおす必要なしに、ハンドピースはベースステーション上に載せられることができる。
【００７０】
本発明は、いくつかの非制限的な例示の実施態様についての、以下の詳細な説明を読むことから、及び添付された図面を調べることからよりよく理解され得る。
【００７１】
図１は、本発明の例示的な実施態様に従う、マイクロ剥離装置１を描写する。
【００７２】
この装置１は、考慮されている例において、ベースステーション２、及びホース４によりベースステーション２に接続されたハンドピース３を含む。
【００７３】
ベースステーション２は、カートリッジ５を受け入れるように設計されており、この目的のための開口部６を含む。
【００７４】
装置１の運転の原則が今、図２を参照して記載され、この記載は、後で記載される他の例示的な実施態様にもまた有効である。
【００７５】
カートリッジ５は、例えば３０〜７０ｃｍ３、例えば５０ｃｍ３のオーダの未使用の剥離作用のある粉体Ｐを含む貯留部１０、及び使用された粉体Ｕを受け止める貯留部１１を含む。
【００７６】
粉体Ｐは供給パイプ１２によりハンドピース３に運ばれ、使用された粉体Ｕはハンドピース３からリターンパイプ１３により貯留部１１に戻される。
【００７７】
真空ポンプ１５が吸引パイプ１６に接続され、該パイプは、導入フィルター１７を通して貯留部１１へ通じている吸引チューブ１９に接続されている。第２のフィルター１８がポンプ１５の上流に設置され、パイプ１６の中へ吸引された空気をより細かく濾過する。この第２のフィルター１８は、必要に応じて、もし十分な導入フィルター１７が使用されるならば、省略されることができる。
【００７８】
取出しチューブ２０は実際には貯留部１０の高さ全体に渡って伸び、開いている上端、及び、貯留部の底の近くに、粉体Ｐを取り出すために働く横向き通気孔２２を有する。
【００７９】
空気取入れ口２４は貯留部１０の壁に作られ、これは、後で明記されるように、横向き通気孔２２が詰まるリスクを減らすように配置される。
【００８０】
リターンパイプ１３は、リターンチューブ２６を経由して貯留部１１へ通じており、該チューブは好ましくは導入フィルター１７の高さより下の高さにおいて、貯留部１１の上部へ通じる上方の末端２７を有する。
【００８１】
装置１が作動する様式は以下の通りである。
【００８２】
ポンプ１５が運転中であるとき、空気は導入フィルター１７を通して吸引され、これは使用された粉体Ｕの貯留部１１において圧力の低下を作り出し、そのためリターンパイプ１３を通して空気が引き入れられる。
【００８３】
送りパイプ１２及びリターンパイプ１３は、ハンドピース３のチャンバー７９に通じており、該ハンドピースは開口部３０を経由して外に開いており、該開口部は、ハンドピース３が処理されるべき皮膚に押し付けられているときの使用中は閉じられている。
【００８４】
ハンドピース３が使用されていないとき、開口部３０は大気に通じ、送りパイプ１２は大気圧であり、これは粉体Ｐが貯留部１０から取り出されないことを意味する。
【００８５】
ハンドピース３が使用されているとき、ポンプ１５によって貯留部１１内に作り出された減圧は、リターンパイプ１３を経てハンドピース１３のチャンバー７９に伝えられ、これは供給パイプ１２内に減圧を作り出し、空気が取出しチューブ２０の開口部２１を通して引き出される。貯留部１０から吸い出された空気は、空気取入れ口２４を通しての空気の到来により補われる。粉体Ｐは取出し通気孔２２を通して取り出され、送りパイプ１２を通って流れる空気により、処理されるべき表面の上に噴霧される開口部３０まで運ばれる。処理された表面から離れた後、粒子はリターンパイプ１３を通して貯留部１１へ吸い戻される。
【００８６】
ハンドピース３と処理されるべき表面との間で十分近い接触があり、その結果チャンバー７９が外部から遮断され、貯留部１０及び１１の間に空気の循環が確立することを可能としない限り、開口部３０に向かって粉体Ｐは噴霧されないという利点を装置１は有する。
【００８７】
ベースステーション２は、図に示されるように、オン／オフスイッチ３１、及び運転を示すインジケーターランプ３２、必要に応じてポンプ１５の出力を調整するためのつまみを含み得、ただし、このつまみは例えばポンプ１５のモーターがより速くあるいはより遅く運転されることを可能にする電子デバイスを運転する。
【００８８】
ベースステーション２は、ハンドピース３が使用されていない時、かけられることできる支持台３４をもまた含み得る。
【００８９】
ベースステーション２は、電池で、又は蓄電池で独立して可動し得、必要に応じて商業電源（mains）へ接続されることを可能にする変圧器を含む。
【００９０】
カートリッジ５の例は今、図３〜７を参照してより具体的に記載される。
【００９１】
考慮されている実施例において、カートリッジ５は、プラスチック、特にポリオレフィンを成形することにより製造されることができる本体４０を含み、本体４０内の２つの区画を規定する垂直の仕切り４１により、図６において見られうるように作られており、これらの区画はそれぞれ前述された貯留部１０及び１１に対応する。
【００９２】
貯留部１０は、概ね半円筒状の上方部分４３ａ及び下方に向かって狭まる下方部分４３ｂを有する本体４０の部分４３により限界が定められる。貯留部１１は、その高さ全体に渡って多かれ少なかれ半円筒状である本体４０の部分４４により限界が定められる。
下方部分４３ｂの傾斜βは、粉体Ｐの流れる能力の関数として、特に貯留部１０の壁に付着する傾向の関数として選択される。傾斜βは、例えば、特に空気取入れ口の領域において２０°〜３０°であり得る。
【００９３】
図示された例において、本体４０は、チューブ１９，２０、及び２６それぞれの通過のための３つの開口部を含む末端の壁４８を含んで作られている。これらのチューブは、例えば溶接、クリッピング、又は接着により末端の壁４８へ固定され、その下の端にそれぞれメス型の末端部、１９ａ、２０ａ，及び２６ａを含み、各末端部はそれぞれ段部により末端の壁４８に対して止まる。あるいはチューブは図２１に示されるように例えば成形により貯留部の本体と一緒に、一体物として製造されることができるだろう。
【００９４】
カートリッジ５は、例えばクリッピング、溶接、又は接着により本体４０に固定された閉鎖蓋４９を含む。
【００９５】
このキャップ４９は、貯留部１０及び１１がその上方部分において多かれ少なかれ密封的にシールされることを可能とするシーリングする縁（sealing skirt）５０及び５２を含む。
【００９６】
好ましくは、カートリッジ５は、設備が整っていないユーザが、貯留部の内容物にアクセスすることを可能とせず、使用された粉体Ｕが再使用されることを防止するようなやり方で作られている。
【００９７】
カートリッジ５の中に含まれる粉体Ｐの量は、例えば１回の処理の期間に適切であり得る。
【００９８】
第１回目の使用の前に、取出しチューブ２０の末端部２０ａは、取り外し可能な、又は穴を開けることが可能な内部シール５４により、又は任意の他の閉鎖手段、例えばキャップにより、図４に示されるように閉鎖され得る。取り外し可能な内部シール（図示されていない）は、本体４０の上にもまた存在して、空気取入れ口２４をふさぎ、使用前に、貯留部１０に湿気が入ることを防ぎ得る。
【００９９】
図３及び６は、空気取入れ口２４が、少なくとも１の通気孔５３、特に複数の通気孔５３の形で作られ得、その断面積は、空気が貯留部１０に入ることを許すのと同時に、粉体Ｐの粒子が出ていくことを防ぐのに十分小さいように選択されることを示す。
【０１００】
考慮されている実施例において、空気取入れ口２４は、複数の、特に５つの通気孔５３を有し、これらは一緒になって空気に例えば０．２〜２ｍｍ２であってもよく、特に約１ｍｍ２であってもよい断面積を有する通路を提供する。
【０１０１】
空気取入れ口は、１又は複数の開口部を含み、該開口部は、図２４に図示されるように、外に向かって広がる、例えば０．２ｍｍの直径から０．３ｍｍの直径に変化する断面を有する。そのような形状は、部分４３を成形するときに開口部を製造しやすくし得る。
【０１０２】
装置が運転中であるとき、空気取入れ口２４を通って貯留部１０に入る空気が開口部２２の近くで上向きに粉体を攪拌し、後者が詰まる危険性を減らすことを可能とするように、空気取入れ口２４は、取出しチューブ２０の横方向の通気孔２２の高さより低く設置されることが有利である。空気取入れ口２４を通って入る空気の少なくとも一部分が通気孔２２にもまた到達して、粉体Ｐの粒子がチューブ２０に入ることをより容易し得る。処理されるべき表面上に噴霧される空気中の固体粒子の体積による割合は、例えば１０％より低く、又は5％よりさえ低く、例えば３％近くである。
【０１０３】
横向きの開口部２２及び空気取入れ口２４を結ぶ直線とチューブ２０の軸Tにより形成される角γは、図２５において見られ得るように、例えば５０°に近い。
【０１０４】
図８は上から見た、カートリッジ５を受け入れることを意図されたベースステーション２のハウジングにおける開口部６を描写する。
【０１０５】
この図はオス型の末端部６２、６３、及び６４がこのハウジングの末端の壁に存在し、多かれ少なかれシールされた様式で、カートリッジ５のメス型末端部２０ａ、２６ａ、及び１９ａと共同して、チューブ２０，２６、及び１９がそれぞれパイプ１２、１３、１６に通じるようにすることを示す。
【０１０６】
末端部２２ａ、２６ａ、及び１９ａの配列は、カートリッジ５が所定の位置においてのみ、そのハウジングに固定され得ることを確保する、偏向手段を構成するように選択される。
【０１０７】
本発明の実施態様の別の形において、この偏向は末端部６２，６３、及び６４の特殊なレイアウトによるのではなく、開口部６に軸対称を有しない、例えば図９に図示されるように１つの面が先端を切り取られている輪郭を与えることにより得られ、カートリッジ５の本体４０は、対応する形状の外部断面を有する。図９において末端部６２、６３、及び６４は、図面をより分かりやすくするために、描かれていない。
【０１０８】
オス型の末端部６２は、貯留部１０に結合されたメス型末端部２０ａに取る付けることを意図されており、カートリッジ５が装置１に装着されたとき、上述された内部シール５４を貫通するように配置され得る。
【０１０９】
ハンドピース３は今、図１０〜１２を参照しながら記述される。このハンドピースは、２つの容器７１を組み立てることにより作られている、持つための部分７０（該容器の１つは独立して、図１１に描写されている）及び末端部７２（図１２に軸断面において独立して描写されている）を含む。
【０１１０】
開口部３０の軸Ｘは持つための部分７０の縦方向の軸Ｙと１００〜１５０°の角αをなし、これはハンドピース３の人間工学に寄与する。
【０１１１】
末端部７２は、搭載用の縁（mounting skirt）７３を含み、該縁は、容器７１を用いて作られた各２つの半分の組立てにより形成された、軸Ｘを有する首７４の上にそれが固定されることを可能にする。縁７３は、開口部３０に向かって収束する末端部の壁７５に繋がる。
【０１１２】
プラスチックを成形することにより末端部７２の残りの部分と共に一体物として製造された仕切り７６は末端部７２内でリターンダクト７７及び供給ダクト７８を分離し、該ダクトは、それぞれの通気孔７７ａ及び７８ａを経てチャンバー７９の中へと通じている。
【０１１３】
ダクト７７及び７８は、通気孔７７ａ及び７８ａと反対の面において、ホース４の柔軟なパイプの取り付けを可能とするように配置され、該ダクトはパイプ１２及び１３に連結する。
【０１１４】
ダクト７７及び７８の断面積は、壁７５の形状のために、及び仕切り７６がチャンバー７９に近づくにつれて増大する厚さを有するために、チャンバー７９に向かう方向において減少する。
【０１１５】
チャンバー７９の末端の壁８０は、その壁の中へ通気孔７８ａ及び７７ａが通じており、軸Ｘに関して斜めに伸び、通気孔７７ａは通気孔７８ａより開口部３０からさらに離れており、より大きい断面積を有する。
【０１１６】
チャンバー７９は側壁８１を有し、該壁は、考慮されている例において、軸ｘの回転柱面である。
【０１１７】
通気孔７８ａの断面積は、通気孔７７ａより小さく、粒子が相対的に速い速度で皮膚の上に噴霧されることを可能にする；通気孔７７ａの断面積はより広く、粒子のリターンパイプ１３への戻りを容易にする。供給ダクト７８の断面積は、例えば柔軟なパイプを取り付けるために使用される通気孔と通気孔７８ａの間で、末端部内で２〜１０の因子で、特に少なくとも５の因子で小さくなる。
【０１１８】
開口部３０の軸Ｘのいずれかの側においてオフセットされた、ダクト７７及び７８の相対的な位置、及び中心に向かうそれらの方向が粒子をリターンダクト７７の方へ跳ね返り易くする。
【０１１９】
相対的に低コストで、同時に良好な有効性を提供しながら製造されることができる末端部７２がこのようにして得られ、このことはもし所望されるならばより出力の低いポンプ１５が使用され、同時に満足できる結果を維持することを可能にする。
【０１２０】
チャンバー７９の末端壁８０と交差する仕切り７６の端の中央にある点、及び開口部３０の面の間の距離ｄは、例えば２．７５ｍｍより小さく、考慮されている例においては２．５ｍｍに近く、相対的に多い量の粉体が皮膚の上に残され、ユーザにハンドピースが通過したところを見る能力を与えることを可能とする。５０ｃｍ３の使用された粉体の値の場合、粉体の５％より多くが例えば皮膚の上にのこり、粉体Ｐの貯留部が空であるとき、装置に戻された使用された粉体Ｕの値は、例えば４７ｃｍ３である。
【０１２１】
図２３は末端部７２の別の形を描写し、該末端部においてはチャンバー７９は軸Ｘに対して垂直である末端壁を有する。
【０１２２】
図１３は、装置１において使用されることができるポンプ１５の例を独立して描写する。
【０１２３】
ポンプ１５は、考慮されている例において、それ自体公知であり、ダイヤフラム９３に固定されたロッド９２に偏心９１により接続された偏心モーター９０により駆動されるダイヤフラムタイプであり、ロッド９２はこのダイヤフラムと共に弾性体の単一部品として製造される。
【０１２４】
ポンプ１５は、吸引パイプ１６を接続するための導入末端部９４、及び運転音を減少させるための断面積を減らす継ぎ手９５を備えられた送り末端部を含む。
【０１２５】
電気モーターが回転するにつれ、ロッド９２は、図１３の面に対して一般的に垂直である方向に振動し、これがダイヤフラム９３を駆動する。
【０１２６】
考慮される例において、ポンプの出力は例えば１分間につき約１リットルである。
【０１２７】
図１４は、フィルター１８の例を描写する。該フィルターは、導入口末端部９７及び排出口末端部９８を付与されたケース９６を含み、このケースの中にはフィルター袋９９があり、その壁はひだを付けられている。末端部９７はフィルター１８の下流でパイプ１６に接続されている。
【０１２８】
もちろん、本発明は今記載されたばかりの例に限定されない。
【０１２９】
特に、マイクロ剥離装置は、図１５において例示されたように、カートリッジ５がハンドピース３に固定されることを可能にするように製造され得、ハンドピースがポンプ１５及びフィルター１８、及びおそらく電源をもまた取り込むことが可能である。
【０１３０】
カートリッジ５は、末端部７２の反対の端において通じているハンドピース３のハウジングに、特に格納され得る。
【０１３１】
代わりとして、ポンプ１５及びフィルター１８を含むベースステーション２にハンドピース３を接続させ、同時にカートリッジ５がハンドピースに固定されることを可能とすることもまた可能である。
【０１３２】
図１６に例示されるように、末端部７２の取り外し可能な搭載を可能とするような様式でハンドピース３を製造することもまた可能であり、該末端部７２は例えば持つための部分においてこの目的の為に付与されたハウジングにはまるように配置されたコネクター１００に固定されている。これは特に美容院における使用の場合に顧客間で末端部７２を交換することを可能にし得る。
【０１３３】
本発明に従うマイクロ剥離装置は、図１７に例示されたように、有利に、化粧料製品１１１、例えば皮膚を調える、及び／又は処理の後皮膚をケアするための製品を含むケース１１０に取り込まれ得る。この例において、ハンドピースはカートリッジ５を受け入れ、ポンプを取り込むが、電源１１２、例えば商業電源アダプターに電気リード線により接続される。
【０１３４】
あるいは、マイクロ剥離装置は、図１８に例示されるように、スキンケア又はメークアップロール１２０の一部を形成してもよく、又は図１９に例示されるように、浴室キャビネット又は棚１３０に取り込まれてもよい。
【０１３５】
マイクロ剥離装置は、図２０に例示されたように、蝶番で繋がれた蓋１２０を含むベースステーションをもまた含み得る。この蓋は例えば鏡１２１を収容しうる。
【０１３６】
ベースステーション２は、使用中であるカートリッジ、及びカートリッジ５に取って代わることを意図された予備カートリッジ５’を受け入れるように設計され得る。
【０１３７】
ベースステーション２は、処理の前及び／又は後に皮膚に塗布されるべき製品を含む容器１２２を受け入れるようにもまた設計され得る。
【０１３８】
粉体Ｐは、剥離を起こすことのできる任意の粉末の剤、例えばコランダムの粒子又は穀物粉末に基づく粉体を含み得る。穀物粉末に基づく粉体の例として、配合剤及びマレイン酸無水物から構成された群から選択された架橋剤を用いてアルカリ性環境において穀物粉末の重合化及び架橋化から得られたガラス状の構造を示す粉体、例えばフランス国特許出願公開第２７６１３６５において記載された粉体が挙げられ、該公報の内容は参照することにより、本明細書に取り込まれる。
【０１３９】
粉体Ｐは、少なくとも１の化粧の活性成分又はケア活性成分をもまた取り込みうる。
【０１４０】
該粉体に取り込まれうる活性成分として、なかんずく、ビタミン、例えばビタミンＣ、皮膚保護剤、抗細菌剤、抗しわ剤、水分補給剤、保湿剤、香料、保存料、サンフィルター、脂肪酸又はオイルが挙げられ得るが、このリストは制限的ではない。
【０１４１】
粉体は、例えば５０〜１８０μｍ、よりよくは５０〜１６０μｍ、さらによくは、８０〜１５０μｍの範囲の寸法を有する粒子を含み得る。サイズはＤ５０として公知である、母集団の半分における統計的粒子サイズ分布により与えられる。
【０１４２】
ダイヤフラムポンプ以外のポンプが使用されてもよい。しかし、マイクロ剥離装置が一般大衆に対して意図されるとき、ダイヤフラムポンプの使用が好ましい、なぜならそのようなポンプは大規模な販売に適合するコストにおいて製造され得るからである。
【０１４３】
カートリッジは別の仕方でもまた製造されてもよい。
【０１４４】
特にカートリッジは、クリッピング、溶接、特に超音波溶接、又は接着により、又は支持部材により互いに接合された２つの貯留部を組み立てることにより製造され得る。２つの貯留部は特に、それぞれが平らな壁で製造され得、これらの壁を経て隣接し得る。
【０１４５】
あるいは２つの貯留部は、共通の部品で製造されてもよく、該共通の部分は溶接により形成され、この共通の部分の構成が、型から外した後、カートリッジを形成するように変えることを可能とするフィルム蝶番を含む。
【０１４６】
２つの貯留部は並べて又は１つを他方の中に置かれ得る。
【０１４７】
貯留部の少なくとも１は、ユーザが中に含まれる粉体のレベルを見ることを可能にする透明な窓と共に製造され得る。
【０１４８】
カートリッジは、カートリッジを装置に取りつける又は装置から外すために、カートリッジが取り扱われているときに、粉体が出てくることを防ぐことを意図された少なくとも１のバルブを備えられ得る。
【０１４９】
あるいは、図２２に例示された実施態様の代わりの形の場合のように、取出し通気孔２２は、粉体を含む貯留部１０に侵入することを意図された末端部１４０の上に製造され得る。
【０１５０】
この実施態様において、貯留部１０の中に存在する取出しチューブ２０は、仕切り４１と連続しており、より低い開口部を有し、その中へ末端部１４０は適合し、該末端部１４０は例えばベースステーション２に属する。
【０１５１】
そのような配置は貯留部１０の壁とともに単一の部品において取出しチューブを製造することをより容易にする、なぜなら取出し開口部２２は独立して製造された末端部１４０上に存在するからである。
【０１５２】
本発明のもう１つの実施態様は、今図２６〜２９を参照して記載される。
【０１５３】
この実施例において、ベースステーション２は、カートリッジ５を受け入れるためのハウジング１５２を備えられたボス１５１を含むベース１５０を含む。このボス１５１は、装置が使用されていないときハンドピース３を受け入れる窪み１５３をもまた含む。ボスはハンドピースの本体の端にはめ込まれる２つの末端部７２、例えば２つの予備の末端部を収容する２つのハウジング１５８もまた含む。
【０１５４】
ベースステーション２は、ハンドピース１３がボス１５１の上の所定の位置にあるとき、ホースを収容することのできる、全体として円形の形状のハウジング１５５をボス１５１の周りに規定するボール１５４を含み、このホースは図面をより分かりやすくするために図２６に描写されていない。ボールの正面部分は、２つの開口部１５９をもまた備えられており、それぞれは例えばハンドピースを横向きの位置に収容できる円の弧の一般的な形における輪郭を有する。蓋１５７は、ボール１５４に蝶番で取り付けられており、この蓋１５７は、ハンドピース３がくぼみ１５３において所定の位置にあるときは、ハンドピース３の上に折りたたまれることが可能である。ベース１５０は、図２９において見られるように、底の板１５０ａ及びキャップ１５０ｂの組立部品から構成され得、板１５０ａはフィルター及びポンプを収容するハウジングと一緒に成形することにより製造されることが可能である。
【０１５５】
ハンドピースは図３０に独立して描写されている。
【０１５６】
このハンドピースは、コネクター１６０を含み、該コネクターは、これらが組み立てられるとき、２つの容器７１により支えられ、該コネクターは、粉体供給パイプ及びリターンパイプと、末端部１６１及び１６２とそれぞれ通じ、最終的な末端部７２の内部において嵌合されている２つの末端部１６３及び１６４とを接続する、末端部１６１及び１６２を含む。ハンドピースは、一度組み立てられたら、コネクター１６０及び／又は容器１７０の上にクリップされることを可能とする形状で製造され得る。ハンドピースは、グロメット１６６をもまた含み得、ハンドピースをベースステーションに接続するホースを外に出すことを可能とする。
【０１５７】
もし図３１及び３２に言及がなされると、取出しチューブ２０は、２つの部分、即ち貯留部１０及び１１を分離する仕切り４１と一緒に成形することにより単一の部品として作られた上方部１７０、及び該上方部１７０に接続され、横向きの通気孔２２を付与された下方部又は接続スリーブ１７１において製造され得る。
【０１５８】
スリーブ１７１は、独立して図３４に描写され、その上端部に取出しチューブの上部１７０を差し込むように設計された末端部１７４を含むことが見られる。スリーブ１７１は、その下端部に広げられた部分１７５をもまた有し、該部分は、カートリッジ５の対応する下方の開口部に対して密封を得ることを可能にする。カートリッジが外されるとき、粉体が逆流することを防ぐためのストッパーとして作用することもまた可能であり得る。このカートリッジがベースステーションの所定の位置にあるとき、ベースステーションに固定された、粉体を取り出すための末端部１８０は、スリーブ１７１に入る。この末端部１８０は、特に図３３において見られるように、例えば、貯留部１０の対応する開口部の上に溶接又は接着されている内部シールを必要に応じて破るように斜めに切断された末端を有し得る。
【０１５９】
スリーブ１７１が製造される材料は、例えば、取出しチューブの上方部１７０及び取出し末端部１８０と接触している密封を得ることの助けになるように選択され得る。
【０１６０】
カートリッジが作られるとき、それはスリーブ１７１なしで成形されることにより製造され、次に、スリーブがカートリッジに挿入され、横向きの通気孔２２がスリーブ１７１と共に成形することにより製造され得る。カートリッジ５を受け入れるハウジング１５２の底は、シーリング部品１８５（図３１及び３３には見えないが、図３５及び３６において図式的かつ部分的に描写されており、例えば弾性体、例えばシリコーンポリマーで作られているディスク）を有利に付与されており、該シーリング部品はベースステーション２をカートリッジ５に接続するための種々の接続末端部が通過するための開口部１８６を含み、カートリッジがベースステーション２の所定の位置にあるとき、該シーリング部品をカートリッジ５が押し付けることができる。
【０１６１】
カートリッジは、クリップ締めにより、ベースステーション上の少なくとも１のリリーフを迂回して、クリップされた位置にあるとき、ある程度までシーリング部品を締め付けるように設計されていてもよい。
【０１６２】
グルーブが、例えばカートリッジの周辺に付与され得、その結果グルーブは、ベースステーション上の相補的な突起と向き合い、シーリング部品１８５が押し付けられていることを確実にするために、カートリッジを適所に保持する機能を果たす。
【０１６３】
シーリング部品１８５は、シーリングを得るために貢献する形状を付与され得る。
【０１６４】
シーリング部品１８５は、例えば、カートリッジへのベースステーションの接続のための各末端部品の周りに少なくとも１の環状グルーブ１８７を含み得、該グルーブを、カートリッジ５の上に作られた相補的なリップ１８８が押し付け、その結果、装置が正しく作動するのに十分良好なシールを得る。
【０１６５】
本発明は、シールされた接続を得る特定の様式に制限されない。
【０１６６】
弾性体で作れられている、取外し可能なシーリング部品は、不必要であることが分かるかもしれず、シーリング部品は例えばベースステーション上のカートリッジに永久的に固定され得る。
【０１６７】
必要に応じて、カートリッジ及び／又はベースステーションは、浸漬又は噴霧により堆積された、あるいは例えば２個取り射出成形技術を用いてオーバーモールドされた弾性体のコーティングを有し得る。
【０１６８】
図３７は、取出しチューブ２０の上部１７０に関して滑る能力を搭載された継ぎ手スリーブ１７１を付けてカートリッジ５を製造する可能性を図解する。スリーブ１７１は、スリーブが、粉体Ｐがカートリッジ５の貯留部１０の下方の開口部を通して流れることをふせぐ、特に図３７に描写された位置、及びスリーブ１７１が、例えばスプリング１８９の戻り作用に逆らって上方部１７０の中に滑りこんだ、引っ込んだ位置の間を移動することができる。スリーブ１７１の戻りは、カートリッジがベースステーション上の所定の位置に置かれたとき起こり、末端部１８０がスリーブ１７１を押し戻す。このスリーブは、弾性的な変形により貯留部１０の下方の開口部を処理することができ、同時にその後、スプリング１８９の戻る作用にも関わらず、この貯留部１０の内部でその後スリーブ１７１を支えることのできる少なくとも１のリリーフ、例えば歯１９０と一緒に作られ得る。
【０１６９】
図３８は、スロット１９２により形成された横向きの通気孔２２を有する取出しチューブを製造する可能性を描写する。このスロットは、開口部を規定し、その寸法は取出しチューブ及びスリーブ１７１の上方部の相対的な位置に従って変動することができ、該スリーブは例示された例においてはスロット１９２と一緒に作られている。
【０１７０】
スリーブ１７１は、例えば上方部１７０にねじ込み、ユーザ又は工場が横向きの通気孔２２の断面積を調節し、その結果、例えば吸引される粉体の流動速度を調節することを可能とするように設計されている。
【０１７１】
必要に応じて、横向きの開口部２２は、異なって、例えば、図３９に例示されるように、取出しチューブ２０の肩の上に製造され得る。
【０１７２】
本記載を通して、反対の意味に明記されない限り、「１を含む」の表現は、「少なくとも１を含む」の意味と理解されるべきである。
【図面の簡単な説明】
【０１７３】
【図１】本発明の１つの例示的な実施態様に従うマイクロ剥離装置の概要の透視図である。
【図２】図１の装置の機能図である。
【図３】図１の装置において使用されるカートリッジを、独立してかつ遠近法で描写する。
【図４】内部シールを用いる、カートリッジの末端部の蓋を図示する。
【図５】図３のＶ−Ｖ上の、概略的な縦方向断面図である。
【図６】図３のＶＩ−ＶＩ上の、概略的な縦方向断面図である。
【図７】図３のＶＩＩ−ＶＩＩ上の、概略的な縦方向断面図である。
【図８】上から見た、カートリッジを受け入れる開口部を図式的かつ部分的に描写する。
【図９】上から見た、カートリッジを収容する穴の形状のもう１つの例を図式的及び部分的に描写する。
【図１０】ハンドピースの透視図である。
【図１１】図１０のハンドピースの２つの容器のうちの１つを、独立して図示する。
【図１２】図１０のハンドピースの末端部を、独立して軸断面において図式的に描写する。
【図１３】図１の装置において使用されることができるポンプを、独立して、上から見て図式的に描写する。
【図１４】図１の装置において使用されることができるフィルターを側面図において、図式的に描写する。
【図１５】本発明に従って製造された装置の代わりの形を図式的に遠近法で描写する。
【図１６】取り外し可能なヘッド付ハンドピースを製造する可能性を図示する。
【図１７】本発明に従うマイクロ剥離装置を含むケースを図式的に描写する。
【図１８】本発明に従うマイクロ剥離装置を取入れたロールを図式的に描写する。
【図１９】本発明に従うマイクロ剥離装置を備えられた浴室の棚を図式的に描写する。
【図２０】本発明のもう１つの例示的な実施態様を図式的に描写する。
【図２１】貯留部の本体と一体の部品としてのチューブの製造を図示する。
【図２２】新しい粉体を含む貯留部の内部に噛み合わされた取出し末端部を有するカートリッジのもう１つの形を描写する、図式的な縦方向の断面である。
【図２３】図１２に似ている、実施態様の別の形の軸方向の断面である。
【図２４】空気取入れ開口部の断面部分の多くの例の１つを、拡大スケールで描写する。
【図２５】取出し開口部と空気取入れ口の相対的な位置を説明することを目的とする部分的かつ概略的な軸の断面である。
【図２６】マイクロ剥離装置の別の形の、遠近法における概略的かつ部分的な図である。
【図２７】ハンドピースを外した、図２６の装置を描写する。
【図２８】カートリッジが取り付けられた後の図２６の装置を描写する。
【図２９】図２６の装置のベースステーションの分解された部分的かつ概略的な図である。
【図３０】図２６の装置のハンドピースの部分的かつ概略的な分解図である。
【図３１】カートリッジ及びカートリッジを受け入れる部分を部分的かつ図式的に描写する。
【図３２】受け入れる部分の所定の位置にあるカートリッジの部分的かつ図式的な軸方向の断面である。
【図３３】受け入れ部分を独立して図式的に描写する。
【図３４】カートリッジに取り付けられた取出しチューブの部分を描写する。
【図３５】図式的かつ部分的な軸方向断面においてシーリング部品を描写する。
【図３６】カートリッジが取り付けられた後の図３５と同様の図である。
【図３７】実施態様の別の形の詳細を説明する、部分的かつ図式的な軸方向断面である。
【図３８】実施態様の別の形の詳細を説明する、部分的かつ図式的な軸方向断面である。
【図３９】実施態様の別の形の詳細を説明する、部分的かつ図式的な軸方向断面である。
【符号の説明】
【０１７４】
１        マイクロ剥離装置
２        ベースステーション
３        ハンドピース
４        ホース
５        カートリッジ
６        開口部
１０     貯留部
１１     貯留部
１２     供給パイプ
１３     リターンパイプ
１５     真空ポンプ
１６     吸引パイプ
１７     導入フィルター
１８     フィルター
１９     吸引チューブ
２０     チューブ
２６     チューブ
２０ａ  メス型末端部
２１     開口部
２２     通気孔
２２ａ  末端部
２４     空気取入れ口
２６     リターンチューブ
３０     開口部
３１     オン／オフスイッチ
３２     インジケーターランプ
３４     支持台
４０     本体
４９     キャップ
５３     通気孔
５４     内部シール
７１     容器
７３     搭載用の縁
７４     首
７７     リターンダクト
７７ａ  通気孔
７８     供給ダクト
７８ａ  通気孔
７９     チャンバー
８０     末端壁
８１     側壁
９０     偏心モーター
９１     偏心
９２     ロッド
９３     ダイヤフラム
９４     導入末端部
９５     断面積を減らす継ぎ手
９６     ケース
９７     導入口末端部
９８     排出口末端部
９９     フィルター袋
１００  コネクター
１１０  ケース
１１１  化粧料製品
１１２  電源
１２０  メークアップロール
１２１  鏡
１２２  容器
１３０  棚
１４０  末端部
１５０  ベース
１５０ａ  底の板
１５０ｂ  キャップ
１５１  ボス
１５２  ハウジング
１５４  ボール
１５５  ハウジング
１５７  蓋
１５８  ハウジング
１５９  開口部
１６０  コネクター
１６１  末端部
１６３  末端部
１６６  グロメット
１７０  容器
１７１  接続スリーブ
１７４  末端部
１８０  末端部
１８５  シーリング部品
１８６  開口部
１８７  環状グルーブ
１８８  リップ
１８９  スプリング
１９０  歯
１９２  スロット
【図１】
2006503627.tif 000003
【図２】
2006503627.tif 000004
【図３】
2006503627.tif 000005
【図４】
2006503627.tif 000006
【図５】
2006503627.tif 000007
【図６】
2006503627.tif 000008
【図７】
2006503627.tif 000009
【図８】
2006503627.tif 000010
【図９】
2006503627.tif 000011
【図１０】
2006503627.tif 000012
【図１１】
2006503627.tif 000013
【図１２】
2006503627.tif 000014
【図１３】
2006503627.tif 000015
【図１４】
2006503627.tif 000016
【図１５】
2006503627.tif 000017
【図１６】
2006503627.tif 000018
【図１７】
2006503627.tif 000019
【図１８】
2006503627.tif 000020
【図１９】
2006503627.tif 000021
【図２０】
2006503627.tif 000022
【図２１】
2006503627.tif 000023
【図２２】
2006503627.tif 000024
【図２３】
2006503627.tif 000025
【図２４】
2006503627.tif 000026
【図２５】
2006503627.tif 000027
【図２６】
2006503627.tif 000028
【図２７】
2006503627.tif 000029
【図２８】
2006503627.tif 000030
【図２９】
2006503627.tif 000031
【図３０】
2006503627.tif 000032
【図３１】
2006503627.tif 000033
【図３２】
2006503627.tif 000034
【図３３】
2006503627.tif 000035
【図３４】
2006503627.tif 000036
【図３５】
2006503627.tif 000037
【図３６】
2006503627.tif 000038
【図３７】
2006503627.tif 000039
【図３８】
2006503627.tif 000040
【図３９】
2006503627.tif 000041
【国際調査報告】
2006503627.tif 000042
2006503627.tif 000043
2006503627.tif 000044
2006503627.tif 000045